(57)【要約】      （修正有）【課題】試薬の変化による検量データの有効性に関する情報を知らせることができる自動分析装置を提供する。【解決手段】第１試薬容器１３の第１試薬の分注動作を行う第１試薬分注プローブと、この分注動作に基づき当該第１試薬の液面の高さを分注動作毎に算出する試薬算出部と、第１試薬容器１３内の第１試薬に対応する検量データを用いて、当該第１試薬と被検試料との混合液に対する分析データを生成する演算部とを備え、試薬算出部は、同じ位置の第１試薬容器１３内の第１試薬の液面の高さを前と後の分注動作で比較し、比較した液面の高さに違いがあると、当該第１試薬容器１３内の第１試薬に対応する検量データに対して、有効性に関するフラグを付加する。【選択図】図２
2019015617.tif 000002
【特許請求の範囲】
【請求項１】
試薬を収容する試薬容器内の試薬を吸引して反応容器内に吐出する分注動作を行う分注プローブと、
前記分注プローブの分注動作に基づき前記試薬容器内の試薬の液面の高さを分注動作ごとに算出する算出部と、
前記試薬容器内の試薬に対応する検量データを用いて当該試薬と被検試料との混合液に対する分析データを生成する演算部とを備え、
前記算出部は、同じ位置の試薬容器内の試薬の液面の高さを前後の分注動作で比較し、比較した液面の高さに違いがあると、当該同じ位置の試薬容器内の試薬に対応する検量データに対して、有効性に関する第１のフラグを付加する自動分析装置。
【請求項２】
前記算出部は、今回の分注動作に基づき算出した前記同じ位置の試薬容器内の試薬の液面の高さと、前記今回の分注動作の１回前の分注動作に基づき算出した当該同じ位置の試薬容器内の試薬の液面の高さとを比較し、比較した液面の高さに違いがあると、前記１回前の分注動作に基づき算出した当該同じ位置の試薬容器内の試薬に対応する検量データに対して、前記第１のフラグを付加する請求項１に記載の自動分析装置。
【請求項３】
前記分注プローブは、前記今回の分注動作に基づき算出した前記同じ位置の試薬容器内の試薬を前記反応容器に分注し、
前記演算部は、前記第１のフラグが付加された検量データを用いて、前記今回の分注動作に基づき算出した前記同じ位置の試薬容器内の試薬と被検試料との混合液に対する分析データを生成し、生成した分析データに当該検量データを用いたことを示す第２のフラグを付加する請求項２に記載の自動分析装置。
【請求項４】
前記分注プローブは、前記１回前の分注動作に基づき算出した前記同じ位置の試薬容器内の試薬に対応する検量データに前記第１のフラグが付加されると、前記今回の分注動作に基づき算出した当該同じ位置の試薬容器内の試薬の前記反応容器への分注を停止する請求項２に記載の自動分析装置。
【請求項５】
前記１回前の分注動作に基づき算出した前記同じ位置の試薬容器は、少なくとも第１の位置の試薬容器及び第２の位置の試薬容器であり、
前記算出部は、前記今回の分注動作に基づき算出した前記第１の位置の試薬容器内の試薬の液面の高さと、前記１回前の分注動作に基づき算出した当該第１の位置の試薬容器内の試薬の液面の高さとに違いがあると、前記１回前の分注動作に基づき算出した当該第１の位置の試薬容器内の試薬に対応する第１の検量データに対して、前記第１のフラグを付加し、
前記分注プローブは、前記第１の検量データに前記第１のフラグが付加されると、前記第１の位置の試薬容器内の試薬の分注動作を停止して、前記第２の位置の試薬容器内の試薬の分注動作を行い、
前記算出部は、前記今回の分注動作に基づき算出した前記第２の位置の試薬容器内の試薬の液面の高さと、前記１回前の分注動作に基づき算出した当該第２の位置の試薬容器内の試薬の液面の高さとに違いがあると、前記１回前の分注動作に基づき算出した当該第２の位置の試薬容器内の試薬に対応する第２の検量データに対して、前記第１のフラグを付加する請求項２に記載の自動分析装置。
【請求項６】
前記算出部は、
前記今回の分注動作に基づき算出した前記同じ位置の試薬容器内の試薬の液面の高さと、前記１回前の分注動作に基づき算出した当該同じ位置の試薬容器内の試薬の液面の高さとに予め設定された所定の高さを超える違いがあると、前記検量データに前記第１のフラグを付加し、
前記今回の分注動作に基づき算出した前記同じ位置の試薬容器内の試薬の液面の高さと、前記１回前の分注動作に基づき算出した当該同じ位置の試薬容器内の試薬の液面の高さとの差が前記所定の高さ以下であると、前記検量データへの前記第１のフラグの付加を止める請求項２に記載の自動分析装置。
【請求項７】
前記今回の分注動作に基づき算出した前記同じ位置の試薬容器内の試薬に対して、前記検量データが有効でない可能性があることを意味する情報を表示する表示部を有する請求項２乃至請求項６のいずれかに記載の自動分析装置。
【請求項８】
前記算出部は、
前記分注プローブが前記１回前の分注動作により吸引した後の前記同じ位置の試薬容器内の試薬の液面の高さを、前記１回前の分注動作に基づき算出した当該同じ位置の試薬容器内の試薬の液面の高さとして算出し、
前記分注プローブが前記今回の分注動作により吸引する前の前記同じ位置の試薬容器内の試薬の液面の高さを、前記今回の分注動作に基づき算出した当該同じ位置の試薬容器内の試薬の液面の高さとして算出する請求項２乃至請求項７のいずれかに記載の自動分析装置。
【請求項９】
前記分注プローブが前記同じ位置の試薬容器内の試薬の液面に接触したことを検出する液面センサを有し、
前記算出部は、前記分注プローブが前記同じ位置の試薬容器上方の所定の位置から前記液面センサにより検出される位置まで移動した距離に基づいて、当該同じ位置の試薬容器内の試薬の液面の高さを算出する請求項２乃至請求項８のいずれかに記載の自動分析装置。
【発明の詳細な説明】
【技術分野】
【０００１】
本発明の実施形態は、被検体から採取された試料と試薬容器に収容された試薬とを分注してその試料に含まれる成分を分析する自動分析装置に関する。
【背景技術】
【０００２】
自動分析装置は、生化学検査項目や免疫検査項目等を対象項目とし、被検体から採取された試料と各検査項目の分析に用いる試薬とを反応容器に分注し、反応容器内の試料と試薬の反応によって生ずる色調や濁りの変化を光学的に測定する。そして、自動分析装置は、測定結果に基づいて、試料に含まれる各検査項目成分の濃度や酵素の活性等で表される分析データを得ることができる。
【０００３】
自動分析装置には、各検査項目の試薬が収容された多数の試薬容器が載置され、試料毎に設定された各検査項目の試薬容器内の試薬を分注する。この自動分析装置では、キャリブレーションにおいて、各検査項目の標準試料と試薬容器の試薬とを反応容器に分注し、分注した標準試料と試薬の混合液の測定により生成された標準データに基づいて当該検査項目の検量データを生成する。また、自動分析装置は、検査において、試料と各検査項目の試薬容器の試薬とを反応容器に分注し、分注した試料と試薬の混合液の測定により生成された被検データに対して当該検査項目の検量データを用いて分析データを生成する。
【０００４】
キャリブレーションが終了してから検査が行われる前や、検査が終了してから次の検査が行われる前に、試薬容器への試薬の継ぎ足しや試薬容器を交換する作業が行われることがある。そして、試薬の継ぎ足しが行われた後に検査が行われ、継ぎ足しが行われた試薬容器の試薬と被検試料の分注により生成された被検データに対して、継ぎ足しが行われる前の試薬容器の試薬から生成された検量データを用いると、分析データが異常になる検査項目がある。
【０００５】
また、試薬容器の交換が行われた後に検査が行われ、交換した試薬容器の置き間違えのため、交換が行われた試薬容器の試薬と試料の分注により生成された被検データに対して、交換が行われる前の試薬容器の試薬から生成された検量データを用いると、分析データが異常になる。
【０００６】
このように、試薬容器への試薬の継ぎ足しや試薬容器の置き間違え等による試薬の変化が原因で、試薬容器への試薬の継ぎ足しや試薬容器の交換等が行われる前の検量データが有効でなくなってしまう問題がある。
【先行技術文献】
【特許文献】
【０００７】
【特許文献１】特開２００９−１２８３１７号公報
【発明の概要】
【発明が解決しようとする課題】
【０００８】
本発明が解決しようとする課題は、試薬の変化による検量データの有効性に関する情報を知らせることができる自動分析装置を提供することを目的とする。
【課題を解決するための手段】
【０００９】
上記課題を達成するために、実施形態の自動分析装置は、試薬を収容する試薬容器内の試薬を吸引して反応容器内に吐出する分注動作を行う分注プローブと、前記分注プローブの分注動作に基づき前記試薬容器内の試薬の液面の高さを分注動作ごとに算出する算出部と、前記試薬容器内の試薬に対応する検量データを用いて当該試薬と被検試料との混合液に対する分析データを生成する演算部とを備え、前記算出部は、同じ位置の試薬容器内の試薬の液面の高さを前後の分注動作で比較し、比較した液面の高さに違いがあると、当該同じ位置の試薬容器内の試薬に対応する検量データに対して、有効性に関する第１のフラグを付加する。
【図面の簡単な説明】
【００１０】
【図１】実施形態に係る自動分析装置の構成を示すブロック図。
【図２】実施形態に係る分析部の構成の一例を示す斜視図。
【図３】実施形態に係る第１試薬の分注が行われるときの第１試薬分注プローブの各停止位置を示す図。
【図４】実施形態に係る表示部に表示された判定条件設定画面の一例を示す図。
【図５】実施形態に係る検査項目Ａの第１及び第２試薬の分注が行われるときの試薬算出部及び分析制御部の動作を示すフローチャート。
【図６】実施形態に係る検査項目Ｂの第１及び第２試薬の分注が行われるときの試薬算出部及び分析制御部の動作を示すフローチャート。
【図７】実施形態に係る検査項目Ｃの第１及び第２試薬の分注が行われるときの試薬算出部及び分析制御部の動作を示すフローチャート。
【発明を実施するための形態】
【００１１】
以下、図面を参照して実施形態を説明する。
【００１２】
図１は、実施形態に係る自動分析装置の構成を示したブロック図である。この自動分析装置１００は、各検査項目に対応する標準試料及び試薬の分注による当該標準試料及び試薬の混合液の測定により標準データを生成し、被検試料及び各検査項目に対応する試薬の分注による当該被検試料及び試薬の混合液の測定により被検データを生成する分析部１０を備えている。また、自動分析装置１００は、分析部１０の各試料の分注や各試薬の分注等を行う複数のユニットを駆動する駆動部４０を備えている。
【００１３】
また、自動分析装置１００は、駆動部４０を制御する分析制御部４５と、分析部１０で測定に用いられる各検査項目の試薬の液面の高さや液量等を算出する試薬算出部５０とを備えている。また、自動分析装置１００は、試薬算出部５０で算出された各検査項目の試薬の液面の高さや液量等の試薬情報を保存する試薬情報記憶部６０を備えている。また、自動分析装置１００は、分析部１０で生成された標準データに対して各検査項目の検量データを生成し、生成した各検査項目の検量データを用いて分析部１０で生成された被検データに対する分析データを生成する演算部７１を備えている。
【００１４】
また、自動分析装置１００は、演算部７１で生成された各検査項目の検量データや分析データを保存するデータ記憶部７２を備えている。また、自動分析装置１００は、演算部７１で生成された検量データ及び分析データや、データ記憶部７２に保存された検量データに関する有効性を判定する判定値などを設定するための画面等を表示する表示部８０を備えている。
【００１５】
また、自動分析装置１００は、各検査項目の分析パラメータを設定するための入力、各試料に対してこの試料を識別する試料ＩＤや各検査項目を設定するための入力、判定値などを設定するための入力等を行う入力部９０を備えている。また、自動分析装置１００は、分析制御部４５、試薬算出部５０、試薬情報記憶部６０、演算部７１、データ記憶部７２及び表示部８０を制御するシステム制御部９１を備えている。
【００１６】
図２は、分析部１０の構成の一例を示した斜視図である。この分析部１０は、試料を収容する試料容器１１と、試料容器１１を保持する試料ラック１２とを備えている。また、分析部１０は、標準試料や被検試料などの各試料に含まれる各検査項目の成分と反応する試薬である例えば１試薬系及び２試薬系の第１試薬を収容する第１試薬容器１３と、第１試薬容器１３を個々に保持する複数の保持位置を有し、複数の第１試薬容器１３を移動可能に保持する第１試薬ラック１４とを備えている。
【００１７】
また、分析部１０は、２試薬系の第１試薬と対をなす第２試薬を収容する第２試薬容器１５と、第２試薬容器１５を個々に保持する複数の保持位置を有し、複数の第２試薬容器１５を移動可能に保持する第２試薬ラック１６とを備えている。そして、第２試薬容器１５は、第１試薬容器１３と同じ形状及び寸法をなしている。また、第２試薬ラック１６に保持された第２試薬容器１５は、第１試薬ラック１４に保持された第１試薬容器１３と同じ高さになる。
【００１８】
また、分析部１０は、円周上に配置された複数の反応容器１７と、この反応容器１７を回転移動可能に保持する反応ディスク１８とを備えている。また、分析部１０は、試料ラック１２に保持された試料容器１１内の試料を吸引して、反応容器１７内に吐出する分注動作を行う試料分注プローブ１９を備えている。また、分析部１０は、試料分注プローブ１９を上下移動及び回動可能に支持する試料分注アーム２０を備えている。
【００１９】
また、分析部１０は、第１試薬ラック１４に保持された第１試薬容器１３内の第１試薬を吸引して、試料が分注された反応容器１７内に吐出する分注動作を行う第１試薬分注プローブ２１を備えている。また、分析部１０は、第１試薬分注プローブ２１を上下移動及び回動可能に支持する第１試薬分注アーム２２を備えている。
【００２０】
また、分析部１０は、第１試薬分注プローブ２１が第１試薬容器１３内の第１試薬の液面に接触したことを検出する第１試薬液面センサ２４を備えている。第１試薬液面センサ２４は例えば発振器及びブリッジ回路等を有し、第１試薬容器１３内の第１試薬と接触したときの第１試薬分注プローブ２１の静電容量の変化をブリッジ回路で電圧信号に変換して当該第１試薬の液面を検出する。
【００２１】
また、分析部１０は、第２試薬ラック１６に保持された第２試薬容器１５内の第２試薬を吸引して、第１試薬が分注された反応容器１７内に吐出する分注動作を行う第２試薬分注プローブ２６を備えている。また、分析部１０は、第２試薬分注プローブ２６を上下移動及び回動可能に支持する第２試薬分注アーム２７を備えている。
【００２２】
また、分析部１０は、第２試薬分注プローブ２６が第２試薬容器１５内の第２試薬の液面に接触したことを検出する第２試薬液面センサ２９を備えている。第２試薬液面センサ２９は、第１試薬液面センサ２４と同様に構成され、第２試薬容器１５内の第２試薬と接触したときの第２試薬分注プローブ２６の静電容量の変化により当該第２試薬の液面を検出する。
【００２３】
また、分析部１０は、反応容器１７に分注された試料及び第１試薬の混合液や、試料、第１試薬及び第２試薬の混合液を撹拌する撹拌子３１と、この撹拌子３１を移動可能に支持する撹拌アーム３２とを備えている。また、分析部１０は、撹拌子３１により撹拌が行われた反応容器１７内の標準試料を含む混合液を透過した光を検出して標準データし、反応容器１７内の被検試料を含む混合液を透過した光を検出して被検データを生成する測定部３３を備えている。また、分析部１０は、測定を終了した反応容器１７内を洗浄する複数の洗浄ノズル３４と、洗浄ノズル３４を上下移動可能に支持する洗浄アーム３５とを備えている。
【００２４】
図１に戻り、駆動部４０は、搬送機構及びこの搬送機構を駆動するモータを有し、分析部１０の試料ラック１２を搬送移動する。また、駆動部４０は、第１及び第２試薬ラック１４，１６をそれぞれ回転駆動するモータを有し、各第１及び第２試薬容器１３，１５を移動する。また、駆動部４０は、反応ディスク１８を回転駆動するモータを有し、各反応容器１７を移動して各停止位置で停止させる。また、駆動部４０は、試料分注アーム２０、第１試薬分注アーム２２及び第２試薬分注アーム２７をそれぞれ回動駆動するモータ及び上下駆動するモータを有し、試料分注プローブ１９、第１試薬分注プローブ２１、及び第２試薬分注プローブ２６を移動する。また、駆動部４０は、撹拌アーム３２を駆動するモータを有し、撹拌子３１を移動する。また、駆動部４０は、洗浄アーム３５を上下駆動するモータを有し、洗浄ノズル３４を移動する。
【００２５】
分析制御部４５はＣＰＵ及び記憶回路を有し、入力部９０から入力された各検査項目の分析パラメータ、試料ＩＤ、この試料ＩＤで識別される試料に設定された検査項目等の入力情報や、試薬情報記憶部６０に保存された試薬情報等に基づき駆動部４０を制御して、分析部１０の各ユニットを作動させる。そして、分析制御部４５は、入力部９０よりキャリブレーションを開始させる入力が行われると、試料ラック１２の移動、第１試薬容器１３の移動、第２試薬容器１５の移動、標準試料の分注、第１試薬の分注、第２試薬の分注、混合液の撹拌、測定等のキャリブレーション動作を分析部１０に実行させる。
【００２６】
また、分析制御部４５は、入力部９０より検査を開始させる入力が行われると、試料ラック１２の移動、第１試薬容器１３の移動、第２試薬容器１５の移動、被検試料の分注、第１試薬の分注、第２試薬の分注、混合液の撹拌、測定等の分析動作を分析部１０に実行させる。
【００２７】
また、分析制御部４５は、分析部１０の分析動作中に入力部９０よりポーズの入力が行われると、試料の分注を停止させ、試料の分注が行われた反応容器１７に第１試薬や第２試薬の分注を行わせてから試薬の分注を停止させる。また、分析制御部４５は、入力部９０よりポーズ解除の入力が行われると、停止させていた試料及び試薬の分注を再開させる。
【００２８】
また、分析制御部４５は、駆動部４０の第１試薬分注アーム２２を回動駆動するモータに駆動パルスを供給して第１試薬分注プローブ２１を回動させ、図３（ａ）に示すように、第１試薬ラック１４に保持されている複数の第１試薬容器１３のうちの第１の位置に停止した第１試薬容器１３上方の第１の上停止位置ＵＬに停止させる。次いで、分析制御部４５は、駆動部４０のモータに第１試薬分注アーム２２を下駆動させる下駆動パルスを供給して第１試薬分注プローブ２１を第１の上停止位置ＵＬから下方に移動させ、図３（ｂ）に示すように、第１試薬分注プローブ２１の下端が第１試薬容器１３内の第１試薬の液面に接触して第１試薬液面センサ２４に検出される位置より距離Ｄ１下方となる第１の吸引位置Ｐ１で停止させる。そして、第１試薬分注プローブ２１に各検査項目の分析パラメータとして設定された第１試薬の分注量に対応する量の第１試薬を吸引させ、当該分注量の第１試薬を反応容器１７内に吐出させる。
【００２９】
また、分析制御部４５は、第２試薬分注プローブ２６を第２試薬ラック１６に保持されている複数の第２試薬容器１５のうちの第２の位置に停止した第２試薬容器１５上方の、第１の上停止位置ＵＬの第１試薬分注プローブ２１と同じ高さとなる第２の上停止位置に停止させる。次いで、分析制御部４５は、駆動部４０の第２試薬分注アーム２７を上下駆動するモータに駆動パルスを供給して第２試薬分注プローブ２６を第２の上停止位置から下方に移動させ、第２試薬分注プローブ２６の下端が第２試薬容器１５内の第２試薬の液面に接触して第２試薬液面センサ２９に検出される位置より距離Ｄ１下方の第２の吸引位置で停止させる。そして、第２試薬分注プローブ２６に各検査項目の分析パラメータとして設定された第２試薬の分注量に対応する量の第２試薬を吸引させ、当該分注量の第２試薬を反応容器１７内に吐出させる。
【００３０】
試薬算出部５０はＣＰＵ及び記憶回路を有し、第１及び第２試薬ラック１４，１６に保持された第１及び第２試薬容器１３，１５の高さの情報、第１の上停止位置ＵＬにおける第１試薬分注プローブ２１の高さの情報、第２の上停止位置における第２試薬分注プローブ２６の高さの情報、各第１及び第２試薬容器１３，１５内の第１試薬の液面の高さと液量の関係を示すテーブル等を保存している。
【００３１】
そして、試薬算出部５０は、第１試薬分注プローブ２１の分注動作に基づき第１試薬ラック１４に保持された各検査項目の第１試薬容器１３内の第１試薬の液面の高さ及び液量を分注動作ごとに算出する。
【００３２】
ここでは、試薬算出部５０は、図３（ｂ）に示すように、分析制御部４５が駆動部４０に供給した下駆動パルスの数に基づいて、第１の上停止位置ＵＬより第１試薬液面センサ２４に検出される位置まで第１試薬分注プローブ２１が移動した距離Ｄｘを求め、求めた距離Ｄｘから第１試薬分注プローブ２１が吸引する前の第１試薬容器１３内の第１試薬の液面の高さＨ及び液量Ｖを算出する。
【００３３】
次いで、試薬算出部５０は、第１試薬分注プローブ２１の吸引によって低下する第１試薬容器１３内の第１試薬の液面の高さを求め、第１試薬分注プローブ２１が吸引する前の第１試薬の液面の高さＨから第１試薬の吸引によって低下する第１試薬の液面の高さを差し引くことにより、第１試薬分注プローブ２１が吸引した後の第１試薬容器１３内の第１試薬の液面の高さ及び液量を算出する。そして、試薬算出部５０は、第１試薬分注プローブ２１の１回の分注動作によって更新される第１試薬分注プローブ２１が吸引した後の各検査項目の第１試薬容器１３内の第１試薬の液面の高さ及び液量を、最新の液面の高さ及び液量として試薬情報記憶部６０に保存する。
【００３４】
また、試薬算出部５０は、試薬情報記憶部６０に保存された各検査項目の第１試薬容器１３内の第１試薬の最新の液面の高さ又は液量等に基づいて、第１試薬ラック１４に保持された同じ保持位置の第１試薬容器１３内の第１試薬の液面の高さ又は液量を前後の分注動作で比較する。以下では、試薬算出部５０は、今回の分注動作に基づき算出した各検査項目の第１試薬容器１３内の第１試薬の液面の高さと、今回の１回前の分注動作に基づき算出した当該検査項目の第１試薬容器１３と同じ保持位置の第１試薬容器１３内の第１試薬の液面の高さとを比較する。
【００３５】
このように、各検査項目の第１試薬の分注動作ごとに当該検査項目の第１試薬容器１３内の第１試薬の液面の高さを試薬情報記憶部６０に保存することにより、今回の分注動作に基づき算出した第１試薬容器１３内の第１試薬の液面の高さと、今回の１回前の分注動作に基づき算出した当該第１試薬容器１３と同じ保持位置の第１試薬容器１３内の第１試薬の液面の高さとを比較することができる。
【００３６】
そして、試薬算出部５０は、今回の分注動作に基づき算出した液面の高さと今回の１回前の分注動作に基づき算出した液面の高さとに違いがあると、今回の１回前の分注動作に基づき算出した１試薬系の検査項目の第１試薬容器１３内の第１試薬、又は今回の１回前の分注動作に基づき算出した２試薬系の検査項目の第１試薬容器１３内の第１試薬及びこの第１試薬と対をなす第２試薬に対応する、データ記憶部７２に保存されている当該検査項目の検量データに対して、有効性に関する第１のフラグを付加する。
【００３７】
また、試薬算出部５０は、第２試薬分注プローブ２６の分注動作に基づき第２試薬ラック１６に保持された各検査項目の第２試薬容器１５内の第２試薬の液面及び液量を分注動作ごとに算出する。
【００３８】
ここでは、試薬算出部５０は、分析制御部４５が駆動部４０に供給した下駆動パルスの数に基づいて第２の上停止位置より第２試薬液面センサ２９に検出される位置まで第２試薬分注プローブ２６が移動した距離を求め、求めた距離から当該検査項目の第２試薬を第２試薬分注プローブ２６が吸引する前の第２試薬容器１５内の第２試薬の液面の高さ及び液量を算出する。
【００３９】
次いで、試薬算出部５０は、第２試薬分注プローブ２６の吸引によって低下する第２試薬容器１５内の第２試薬の液面の高さを求め、第２試薬分注プローブ２６が吸引する前の第２試薬の液面の高さから第２試薬の吸引によって低下する第２試薬の液面の高さを差し引くことにより、第２試薬分注プローブ２６が吸引した後の第２試薬容器１５内の第２試薬の液面の高さ及び液量を算出する。そして、試薬算出部５０は、第２試薬分注プローブ２６の１回の分注動作によって更新される第２試薬分注プローブ２６が吸引した後の各検査項目の第２試薬容器１５内の第２試薬の液面の高さ及び液量を、最新の液面の高さ及び液量として試薬情報記憶部６０に保存する。
【００４０】
また、試薬算出部５０は、試薬情報記憶部６０に保存された各検査項目の第２試薬容器１５内の第２試薬の液面の高さ又は液量等に基づいて、第２試薬ラック１６に保持された同じ保持位置の第２試薬容器１５内の第２試薬の液面の高さ又は液量を前後の分注動作で比較する。以下では、試薬算出部５０は、今回の分注動作に基づき算出した第２試薬容器１５内の第２試薬の液面の高さと、今回の１回前の分注動作に基づき算出した当該第２試薬容器１５と同じ保持位置の第２試薬容器１５内の第２試薬の液面の高さとを比較する。
【００４１】
このように、各検査項目の第２試薬の分注動作ごとに当該検査項目の第２試薬容器１５内の第２試薬の液面の高さを試薬情報記憶部６０に保存することにより、今回の分注動作に基づき算出した第２試薬容器１５内の第２試薬の液面の高さと、今回の１回前の分注動作に基づき算出した当該第２試薬容器１５と同じ保持位置の第２試薬容器１５内の第２試薬の液面の高さとを比較することができる。
【００４２】
そして、試薬算出部５０は、今回の液面の高さと今回の１回前の液面の高さとに違いがあると、今回の１回前の分注動作に基づき算出した２試薬系の各検査項目の第２試薬容器１５内の第２試薬及びこの第２試薬と対をなす第１試薬に対応する、データ記憶部７２に保存されている当該検査項目の検量データに対して、有効性に関する第１のフラグを付加する。
【００４３】
試薬情報記憶部６０は記憶回路等を有し、入力部９０から入力された各検査項目の第１試薬容器１３を保持させた第１試薬ラック１４の保持位置、試薬算出部５０により算出された当該第１試薬容器１３内の第１試薬の最新の液面の高さ及び液量、この液面の高さ及び液量を算出する分注動作が行われたときの日時を保存する。また、試薬情報記憶部６０は、入力部９０から入力された各検査項目の第２試薬容器１５を保持させた第２試薬ラック１６の保持位置、試薬算出部５０により算出された当該第２試薬容器１５内の第２試薬の最新の液面の高さ及び液量、この液面の高さ及び液量を算出する分注動作が行われたときの日時を保存する。
【００４４】
演算部７１は例えばＣＰＵと記憶回路を有し、分析部１０の測定部３３で生成された各検査項目の標準データ及び当該検査項目の標準試料に対して予め設定された標準値に基づいて、当該検査項目の標準データと標準値との関係を示す検量データを生成する。また、演算部７１は、測定部３３で検査項目ごとに生成された被検データに対して、データ記憶部７２に保存されている当該検査項目の検量データを用いて濃度値や酵素の活性値等の分析データを生成する。
【００４５】
データ記憶部７２は、例えばハードディスクドライブ（ＨＤＤ）等のストレージを有し、演算部７１で生成された検量データを検査項目毎に保存する。また、演算部７１で生成された各検査項目の分析データを被検試料毎に保存する。
【００４６】
表示部８０は、例えばＣＲＴや液晶パネルなどのモニタを有し、検査対象の各検査項目の名称、この名称の検査項目用の試料を反応容器１７に分注させる分注量、当該検査項目が１試薬系及び２試薬系である場合の第１試薬を反応容器１７に分注させる分注量、当該検査項目が２試薬系である場合の第２試薬を反応容器１７に分注させる分注量等の分析パラメータを設定するための分析パラメータ設定画面を表示する。また、データ記憶部７２に保存されている各検査項目の検量データの有効性を判定する判定値等を設定するための判定条件設定画面を表示する。
【００４７】
また、表示部８０は、被検試料毎にこの被検試料を識別する試料ＩＤ及び検査対象の検査項目を設定するための検査項目設定画面を表示する。また、表示部８０は、試薬情報記憶部６０に保存された各検査項目の第１試薬や第２試薬の試薬名、この試薬名の第１及び第２試薬容器１３，１５が保持された第１及び第２試薬ラック１４，１６の保持位置等の試薬情報を設定するための試薬情報画面を表示する。
【００４８】
入力部９０は、例えばキーボード、マウス、ボタン、タッチキーパネルなどの入力デバイスを備えている。そして、入力部９０は、各検査項目の分析パラメータを設定するための入力、試料ＩＤ及び検査項目を設定するための入力、判定値等を設定するための入力、各検査項目の試薬名、この試薬名の各第１及び第２試薬容器１３，１５の保持位置等の試薬情報を設定するための入力等を行う。
【００４９】
システム制御部９１は、ＣＰＵ及び記憶回路を備え、入力部９０から入力されたコマンド信号、各検査項目の分析パラメータ、試料ＩＤ及び検査項目の情報、判定値、試薬情報等の入力情報を記憶回路に記憶した後、これらの入力情報に基づいて、分析制御部４５、試薬算出部５０、試薬情報記憶部６０、演算部７１、データ記憶部７２及び表示部８０を統括してシステム全体を制御する。
【００５０】
次に、表示部８０に表示される判定条件設定画面について説明する。
【００５１】
表示部８０に判定条件設定画面を表示させる入力が入力部９０から行われると、表示部８０は判定条件設定画面を表示する。
【００５２】
図４は、表示部８０に表示された判定条件設定画面の一例を示した図である。この判定条件設定画面８１は、「項目名」の欄と、「試薬」の欄と、「判定」の欄と、「処理」の欄とにより構成される。
【００５３】
「項目名」の欄には、分析パラメータが設定された検査項目Ａの名称である「Ａ」、検査項目Ｂの名称である「Ｂ」、検査項目Ｃの名称である「Ｃ」等が表示されている。
【００５４】
「試薬」の欄には、「項目名」の欄に名称が表示された各検査項目Ａ，Ｂ，Ｃが例えば２試薬系の第１試薬に対応する「Ｒ１」と第２試薬に対応する「Ｒ２」が表示されている。
【００５５】
「判定」の欄には、入力部９０からの判定値を設定する入力により、検査項目Ａの第１及び第２試薬に対して判定値として設定された「Ｈ１」が四角枠に表示されている。また、検査項目Ｂの第１及び第２試薬に対して判定値として設定された「Ｈ２」が四角枠に表示されている。また、検査項目Ｃの第１及び第２試薬に対して判定値として設定された「Ｈ３」が四角枠に表示されている。
【００５６】
「処理」の欄には、入力部９０からの入力により、検査項目Ａに対する試薬算出部５０の処理として設定された「フラグの付加」と、検査項目Ｂに対する試薬算出部５０及び分析制御部４５の処理として設定された「フラグの付加」及び「分注の停止」と、検査項目Ｃに対する試薬算出部５０及び分析制御部４５の処理として設定された「フラグの付加」、「分注の停止」及び「試薬渡り」とがそれぞれの四角枠に表示されている。
【００５７】
ここで、検査項目Ａの第１試薬の分注において、試薬算出部５０は、第１試薬分注プローブ２１の今回の分注動作に基づき算出した第１試薬容器１３内の第１試薬の液面の高さと、当該第１試薬容器１３と同じ保持位置に保持され、今回の１回前の分注動作に基づき算出した第１試薬容器１３内の第１試薬の液面の高さとを比較する。そして、試薬算出部５０は、今回の液面の高さと今回の１回前の液面の高さとに判定値として設定された「Ｈ１」に相当する高さＨ１を超える違いがあると、「フラグの付加」に対応する処理として、今回の１回前の分注動作に基づき算出した第１試薬容器１３内の第１試薬に対応する、当該第１試薬及びこの第１試薬と対をなす第２試薬の分注により生成された検査項目Ａの検量データに対して、有効性に関する第１のフラグを付加する。また、試薬算出部５０は、今回の液面の高さと今回の１回前の液面の高さとの差が高さＨ１以下であると、今回の１回前の分注動作に基づき算出した第１試薬容器１３内の第１試薬に対応する検査項目Ａの検量データへの第１のフラグの付加を止める。
【００５８】
検査項目Ａの第１試薬が分注された後の第２試薬の分注において、試薬算出部５０は、第２試薬分注プローブ２６の今回の分注動作に基づき算出した検査項目Ａの第２試薬容器１５内の第２試薬の液面の高さと、当該第２試薬容器１５と同じ保持位置に保持され、今回の１回前の分注動作に基づき算出した第２試薬容器１５内の第２試薬の液面の高さとを比較する。そして、試薬算出部５０は、今回の液面の高さと今回の１回前の液面の高さとに、判定値として設定された高さＨ１を超える違いがあると、今回の１回前の分注動作に基づき算出した第２試薬容器１５内の第２試薬に対応する、当該第２試薬及びこの第２試薬と対をなす第１試薬の分注により生成された検査項目Ａの検量データに対して、第１のフラグを付加する。また、試薬算出部５０は、今回の液面の高さと今回の１回前の液面の高さとの差が高さＨ１以下であると、今回の１回前の分注動作に基づき算出した第２試薬容器１５内の第２試薬に対応する検査項目Ａの検量データに対して、第１のフラグの付加を止める。
【００５９】
検査項目Ｂの第１試薬の分注において、試薬算出部５０は、第１試薬分注プローブ２１の今回の分注動作に基づき算出した検査項目Ｂの第１試薬容器１３内の第１試薬の液面の高さと、当該第１試薬容器１３と同じ保持位置に保持され、今回の１回前の分注動作に基づき算出した第１試薬容器１３内の第１試薬の液面の高さとを比較する。そして、試薬算出部５０は、今回の液面の高さと今回の１回前の液面の高さとに判定値として設定された「Ｈ２」に相当する高さＨ２を超える違いがあると、「フラグの付加」に対応する処理として、今回の１回前の分注動作に基づき算出した第１試薬容器１３内の第１試薬に対応する検査項目Ｂの検量データに対して、第１のフラグを付加する。また、試薬算出部５０は、今回の液面の高さと今回の１回前の液面の高さとの差が高さＨ２以下であると、今回の１回前の分注動作に基づき算出した第１試薬容器１３内の第１試薬に対応する検査項目Ｂの検量データに対して、第１のフラグの付加を止める。
【００６０】
分析制御部４５は、検査項目Ｂの検量データに第１のフラグが付加されると、「分注の停止」に対応する処理として、第１試薬分注プローブ２１による検査項目Ｂの第１試薬の今回以降の分注動作を停止させる。
【００６１】
検査項目Ｂの第１試薬が分注された後の第２試薬の分注において、試薬算出部５０は、第２試薬分注プローブ２６の今回の分注動作に基づき算出した第２試薬容器１５内の第２試薬の液面の高さと、当該第２試薬容器１５と同じ保持位置に保持され、今回の１回前の分注動作に基づき算出した第２試薬容器１５内の第２試薬の液面の高さとを比較する。そして、試薬算出部５０は、今回の液面の高さと今回の１回前の液面の高さとに判定値として設定された高さＨ２を超える違いがあると、今回の１回前の分注動作に基づき算出した第２試薬容器１５内の第２試薬に対応する検査項目Ｂの検量データに対して、第１のフラグを付加する。また、試薬算出部５０は、今回の液面の高さと今回の１回前の液面の高さとの差が高さＨ２以下であると、今回の１回前の分注動作に基づき算出した第２試薬容器１５内の第２試薬に対応する検査項目Ｂの検量データに対して、第１のフラグの付加を止める。
【００６２】
分析制御部４５は、検査項目Ｂの検量データに第１のフラグが付加されると、第１及び第２試薬分注プローブ２１，２６による検査項目Ｂの第１及び第２試薬の今回以降の分注動作を停止させる。
【００６３】
検査項目Ｃにおいて、第１試薬容器１３とこの第１試薬容器１３と対をなす第２試薬容器１５を１対として複数の対の第１及び第２試薬容器１３，１５が第１及び第２試薬ラック１４，１６に保持され、複数の対の予め設定された早い順番の第１及び第２試薬容器１３，１５の第１及び第２試薬に対応する、当該第１及び第２試薬の分注により生成された第１の検量データ、早い順番の次の順番の第１及び第２試薬容器１３，１５の第１及び第２試薬に対応する、当該第１及び第２試薬の分注により生成された第２の検量データがデータ記憶部７２に保存される。
【００６４】
検査項目Ｃの早い順番の第１試薬の分注において、試薬算出部５０は、第１試薬分注プローブ２１の今回の分注動作に基づき算出した検査項目Ｃの第１試薬容器１３内の第１試薬の液面の高さと、当該第１試薬容器１３と同じ保持位置に保持され、今回の１回前の分注動作に基づき算出した第１試薬容器１３内の第１試薬の液面の高さとを比較する。そして、試薬算出部５０は、今回の液面の高さと今回の１回前の液面の高さとに、判定値として設定された「Ｈ３」に相当する高さＨ３を超える違いがあると、「フラグの付加」に対応する処理として、今回の１回前の分注動作に基づき算出した第１試薬容器１３に対応する第１の検量データに対して、第１のフラグを付加する。また、試薬算出部５０は、今回の液面の高さと今回の１回前の液面の高さとの差が高さＨ３以下であると、今回の１回前の分注動作に基づき算出した第１試薬容器１３に対応する第１の検量データに対して、第１のフラグの付加を止める。
【００６５】
分析制御部４５は、早い順番の第１の検量データに第１のフラグが付加されると、「分注の停止」に対応する処理として、第１及び第２試薬分注プローブ２１，２６による検査項目Ｃの早い順番の第１及び第２試薬の今回以降の分注動作を停止させる。
【００６６】
早い順番の第１試薬が分注された後の早い順番の第２試薬の分注において、試薬算出部５０は、第２試薬分注プローブ２６の今回の分注動作に基づき算出した第２試薬容器１５内の第２試薬の液面の高さと、当該第２試薬容器１５と同じ保持位置に保持され、今回の１回前の分注動作に基づき算出した第２試薬容器１５内の第２試薬の液面の高さとを比較する。そして、試薬算出部５０は、今回の液面の高さと今回の１回前の液面の高さとに、判定値として設定された高さＨ３を超える違いがあると、今回の１回前の分注動作に基づき算出した第２試薬容器１５に対応する第１の検量データに対して、第１のフラグを付加する。また、試薬算出部５０は、今回の液面の高さと今回の１回前の液面の高さとの差が高さＨ３以下であると、今回の１回前の分注動作に基づき算出した第２試薬容器１５に対応する第１の検量データに対して、第１のフラグの付加を止める。
【００６７】
分析制御部４５は、第１の検量データに第１のフラグが付加されると、第１及び第２試薬分注プローブ２１，２６による検査項目Ｃの早い順番の第１及び第２試薬の今回以降の分注動作を停止させる。そして、分析制御部４５は、早い順番の第１試薬又は第２試薬の分注を停止させると、「試薬渡り」に対応する処理として、次の順番の第１及び第２試薬容器１３，１５の第１及び第２試薬を分注させる。
【００６８】
次の順番の第１試薬の分注において、試薬算出部５０は、第１試薬分注プローブ２１の今回の分注動作に基づき算出した第１試薬容器１３内の第１試薬の液面の高さと、当該第１試薬容器１３と同じ保持位置に保持され、今回の１回前の分注動作に基づき算出した第１試薬容器１３内の第１試薬の液面の高さとを比較する。そして、試薬算出部５０は、今回の液面の高さと今回の１回前の液面の高さとに高さＨ３を超える違いがあると、今回の１回前の分注動作に基づき算出した第１試薬容器１３内の第１試薬に対応する第２の検量データに対して、第１のフラグを付加する。また、試薬算出部５０は、今回の液面の高さと今回の１回前の液面の高さとの差が高さＨ３以下であると、今回の１回前の分注動作に基づき算出した第１試薬容器１３の第１試薬に対応する第２の検量データに対して、第１のフラグの付加を止める。
【００６９】
分析制御部４５は、第２の検量データに第１のフラグが付加されると、第１及び第２試薬分注プローブ２１，２６による検査項目Ｃの次の順番の第１及び第２試薬の今回以降の分注動作を停止させる。
【００７０】
次の順番の第１試薬が分注された後の次の順番の第２試薬の分注において、試薬算出部５０は、第２試薬分注プローブ２６の今回の分注動作に基づき算出した第２試薬容器１５内の第２試薬の液面の高さと、今回の１回前の分注動作に基づき算出した当該第２試薬容器１５と同じ保持位置の第２試薬容器１５内の第２試薬の液面の高さとを比較する。そして、試薬算出部５０は、今回の液面の高さと今回の１回前の液面の高さとに高さＨ３を超える違いがあると、今回の１回前の分注動作に基づき算出した第２試薬容器１５に対応する第２の検量データに対して、第１のフラグを付加する。また、試薬算出部５０は、今回の液面の高さと今回の１回前の液面の高さとの差が高さＨ３以下であると、今回の１回前の分注動作に基づき算出した第２試薬容器１５に対応する第２の検量データに対して、第１のフラグの付加を止める。
【００７１】
分析制御部４５は、第２の検量データに第１のフラグが付加されると、第１及び第２試薬分注プローブ２１，２６による検査項目Ｃの次の順番の第１及び第２試薬の今回以降の分注動作を停止させる。
【００７２】
なお、検査中に入力部９０からポーズの入力が行われることなく各検査項目の第１及び第２試薬の分注が連続して行われている場合、今回の１回前の分注動作が行われてから今回の分注動作が行われるまでの間、同じ保持位置の各第１及び第２試薬容器１３，１５内の各第１及び第２試薬の液面の高さに違いが生じることがないので、例えば各第１及び第２試薬液面センサ２４，２９の検出誤差に基づいた値を判定値とする。
【００７３】
また、今回の１回前の分注動作が入力部９０からのポーズの入力の前であり、今回の分注動作がポーズ解除後となるような分注動作の間隔である場合、今回の１回前の分注動作が行われてから今回の分注動作が行われるまでの間、同じ保持位置の各第１及び第２試薬容器１３，１５に対して各第１及び第２試薬容器１３，１５の交換や各第１及び第２試薬の継ぎ足し等の取り扱いがないと、同じ保持位置の各第１及び第２試薬容器１３，１５内の各第１及び第２試薬の液面の高さとに違いが生じることがないので、例えば各第１及び第２試薬液面センサ２４，２９の検出誤差に基づいた値を判定値とする。
【００７４】
また、今回の１回前の分注動作が入力部９０から検査開始の入力が行われる前であり、今回の分注動作が検査開始の入力が行われるような分注動作の間隔がポーズのときよりも長時間となる場合、今回の１回前の分注動作が行われてから今回の分注動作が行われるまでの間、同じ保持位置の各第１及び第２試薬容器１３，１５に対して各第１及び第２試薬容器１３，１５の交換や各第１及び第２試薬の継ぎ足し等の取り扱いがないと、同じ保持位置の各第１及び第２試薬容器１３，１５内の各第１及び第２試薬の液面の高さとに、蒸発による減少以外の違いが生じることがないので、例えば各第１及び第２試薬液面センサ２４，２９の検出誤差に加えて蒸発の分を加えた値を判定値とする。
【００７５】
以下、図１乃至図７を参照して、自動分析装置１００の動作の一例を説明する。
【００７６】
試薬情報記憶部６０には、入力部９０から入力された検査項目Ａの第１試薬容器１３の保持位置Ａ１、検査項目Ｂの第１試薬容器１３の保持位置Ｂ１、検査項目Ｃの２対のうちの早い順番の第１試薬容器１３の保持位置Ｃ１、検査項目Ｃの次の順番の第１試薬容器１３の保持位置Ｃ２等の各検査項目の第１試薬容器１３が保持された第１試薬ラック１４の保持位置の情報が保存されている。
【００７７】
また、試薬情報記憶部６０には、入力部９０から入力された保持位置Ａ１の第１試薬容器１３と対をなす第２試薬容器１５の保持位置Ａ２、保持位置Ｂ１の第１試薬容器１３と対をなす第２試薬容器１５の保持位置Ｂ２、保持位置Ｃ１の第１試薬容器１３と対をなす早い順番の第２試薬容器１５の保持位置Ｃ３、保持位置Ｃ２の第１試薬容器１３と対をなす次の順番の第２試薬容器１５の保持位置Ｃ４等の各検査項目の第２試薬容器１５が保持された第２試薬ラック１６の保持位置の情報が保存されている。
【００７８】
また、試薬情報記憶部６０には、試薬算出部５０により算出された保持位置Ａ１の第１試薬容器１３内の第１試薬の最新の液面の高さ及び液量、保持位置Ｂ１の第１試薬容器１３内の第１試薬の最新の液面の高さ及び液量、保持位置Ｃ１の第１試薬容器１３内の第１試薬の最新の液面の高さ及び液量、保持位置Ｃ２の第１試薬容器１３内の第１試薬の最新の液面の高さ及び液量、保持位置Ａ２の第２試薬容器１５内の第２試薬の最新の液面の高さ及び液量、保持位置Ｂ２の第２試薬容器１５内の第２試薬の最新の液面の高さ及び液量、保持位置Ｃ３の第２試薬容器１５内の第２試薬の最新の液面の高さ及び液量、保持位置Ｃ４の第２試薬容器１５内の第２試薬の最新の液面の高さ及び液量等の各保持位置の各第１及び第２試薬容器１３，１５の最新の液面の高さ及び液量の情報が保存されている。
【００７９】
データ記憶部７２には、保持位置Ａ１，Ａ２における１対の第１及び第２試薬容器１３，１５の第１及び第２試薬に対応する検査項目Ａの検量データ、保持位置Ｂ１，Ｂ２における１対の第１及び第２試薬容器１３，１５の第１及び第２試薬に対応する検査項目Ｂの検量データ、保持位置Ｃ１，Ｃ３における早い順番の１対目の第１及び第２試薬容器１３，１５の第１及び第２試薬に対応する検査項目Ｃの第１の検量データ、保持位置Ｃ２，Ｃ４における次の順番の第１及び第２試薬容器１３，１５の第１及び第２試薬に対応する検査項目Ｃの第２の検量データ等の各検査項目の検量データが保存されている。
【００８０】
図５は、検査項目Ａの第１及び第２試薬の分注が行われるときの試薬算出部５０及び分析制御部４５の動作を示したフローチャートである。
【００８１】
入力部９０から検査開始の入力又はポーズ解除の入力が行われてからの検査項目Ａの第１試薬の分注において、第１試薬分注プローブ２１は、第１試薬ラック１４に保持された保持位置Ａ１の第１試薬容器１３上方の第１の上停止位置ＵＬから下降し、当該第１試薬容器１３内の第１試薬の液面に接触して第１試薬液面センサ２４に検出される位置より距離Ｄ１下方となる第１の吸引位置Ｐ１で停止する。
【００８２】
試薬算出部５０は、第１試薬分注プローブ２１が保持位置Ａ１の第１試薬容器１３内の第１試薬を分注する今回の分動作により第１の吸引位置Ｐ１に停止したとき、保持位置Ａ１の第１試薬容器１３内の第１試薬の今回の液面の高さを算出する（ステップＳ１）。
【００８３】
試薬算出部５０は、今回の分注動作に基づき算出した保持位置Ａ１の第１試薬容器１３内の第１試薬の液面の高さと、今回の１回前の分注動作に基づき算出した保持位置Ａ１の第１試薬容器１３の第１試薬の液面の高さである、試薬情報記憶部６０に保存されている保持位置Ａ１の第１試薬容器１３内の第１試薬の最新の液面の高さとを比較する（ステップＳ２）。
【００８４】
このように、試薬情報記憶部６０に保存されている保持位置Ａ１の第１試薬容器１３内の第１試薬の最新の液面の高さを今回の１回前の分注動作に基づき算出した第１試薬容器１３の第１試薬の液面の高さとして、今回の分注動作に基づき算出した第１試薬容器１３の第１試薬の液面の高さと比較することができる。
【００８５】
今回の液面の高さと今回の１回前の液面の高さとに高さＨ１を超える違いがある場合（ステップＳ３のいいえ）、ステップＳ４に移行する。また、今回の液面の高さと今回の１回前の液面の高さとの差が高さＨ１以下である場合（ステップＳ３のはい）、ステップＳ５に移行する。
【００８６】
ステップＳ３の「いいえ」の後、試薬算出部５０は、今回の１回前の分注動作に基づき算出した第１試薬容器１３の第１試薬に対応する、データ記憶部７２に保存されている検査項目Ａの検量データに対して、第１のフラグを付加する（ステップＳ４）。
【００８７】
このように、今回の液面の高さと今回の１回前の液面の高さとに違いがあると、今回の１回前の分注動作が行われてから、検査の開始やポーズ解除により今回の分注動作が行われるまでの間に、保持位置Ａ１の第１試薬容器１３に対して、異なる検査項目や異なるロット等の第１試薬容器１３への置き間違えや、第１試薬の継ぎ足し等が行われたことを推測することができる。
【００８８】
試薬算出部５０は、第１のフラグを付加した検量データを表示部８０に表示させる。また、試薬算出部５０は、第１のフラグに対応する情報として、「保持位置Ａ１の第１試薬容器１３が置き換えられている可能性があります」や、「保持位置Ａ１の第１試薬容器１３に対して検量データを用いると、分析データが異常値になる可能性があります」等の保持位置Ａ１に保持されている第１試薬容器１３の第１試薬に対して検査項目Ａの検量データが有効でない可能性があることを意味するメッセージを表示部８０に表示させる。
【００８９】
このように、データ記憶部７２に保存されている検査項目Ａの検量データへの第１のフラグの付加に応じて、第１のフラグが付加された検量データを表示部８０に表示させることができる。これにより、検査項目Ａの検量データの有効性に関する情報を自動分析装置１００の操作者に知らせることができる。
【００９０】
また、検査項目Ａの検量データへの第１のフラグの付加に応じて、その第１のフラグに対応するメッセージを表示部８０に表示させることにより、今回の分注動作に基づき算出した第１試薬容器１３の第１試薬に対して、データ記憶部７２に保存されている検査項目Ａの検量データを用いると、今回の１回前の分注動作が行われてから今回の分注動作が行われるまでの間の保持位置Ａ１への第１試薬容器１３の置き間違えや、保持位置Ａ１の第１試薬容器１３への第１試薬の継ぎ足し等の作業が原因で、当該第１試薬の分注により検査項目Ａの検量データを用いて生成される分析データが異常な値になる可能性があることを、自動分析装置１００の操作者に知らせることができる。
【００９１】
ステップＳ３の「はい」又はステップＳ４の後、第１試薬分注プローブ２１は、保持位置Ａ１の第１試薬容器１３内の第１試薬を吸引して、被検試料が分注された反応容器１７に吐出する分注を行う。試薬算出部５０は、第１試薬分注プローブ２１が第１試薬を吸引した後の保持位置Ａ１の第１試薬容器１３内の第１試薬の液面の高さを算出し、算出した液面の高さを最新の液面の高さとして試薬情報記憶部６０に保存する（ステップＳ５）。
【００９２】
検査項目Ａの第１試薬が分注された後の第２試薬の分注において、第２試薬分注プローブ２６は、第２試薬ラック１６に保持された保持位置Ａ２の第２試薬容器１５上方の第２の上停止位置から下降し、当該第２試薬容器１５内の第２試薬の液面に接触して第２試薬液面センサ２９に検出される位置より距離Ｄ１下方となる第２の吸引位置で停止する。
【００９３】
試薬算出部５０は、第２試薬分注プローブ２６が保持位置Ａ２の第２試薬容器１５内の第２試薬を分注する今回の分動作により第２の吸引位置に停止したとき、保持位置Ａ２の第２試薬容器１５内の第２試薬の今回の液面の高さを算出する（ステップＳ６）。
【００９４】
試薬算出部５０は、今回の分注動作に基づき算出した保持位置Ａ２の第２試薬容器１５内の第２試薬の液面の高さと、今回の１回前の分注動作に基づき算出した保持位置Ａ２の第２試薬容器１５内の第２試薬の液面の高さである、試薬情報記憶部６０に保存されている保持位置Ａ２の第２試薬容器１５内の第２試薬の最新の液面の高さとを比較する（ステップＳ７）。
【００９５】
このように、試薬情報記憶部６０に保存されている保持位置Ａ２の第２試薬容器１５内の第２試薬の最新の液面の高さを今回の１回前の分注動作に基づき算出した第２試薬容器１５の第２試薬の液面の高さとして、今回の分注動作に基づき算出した第２試薬容器１５の第２試薬の今回の液面の高さと比較することができる。
【００９６】
今回の液面の高さと今回の１回前の液面の高さとに高さＨ１を超える違いがある場合（ステップＳ８のいいえ）、ステップＳ９へ移行する。また、今回の液面の高さと今回の１回前の液面の高さとの差が高さＨ１以下である場合（ステップＳ８のはい）、ステップＳ１０へ移行する。
【００９７】
ステップＳ８の「いいえ」の後、試薬算出部５０は、今回の１回前の分注動作に基づき算出した第２試薬容器１５の第２試薬に対応する、データ記憶部７２に保存されている検査項目Ａの検量データに対して、第１のフラグを付加する（ステップＳ９）。
【００９８】
試薬算出部５０は、第１のフラグを付加した検量データを表示部８０に表示させる。また、試薬算出部５０は、第１のフラグに対応する情報として、保持位置Ａ２に保持されている第２試薬容器１５の第２試薬に対して検査項目Ａの検量データが有効でない可能性があることを意味するメッセージを表示部８０に表示させる。
【００９９】
このように、データ記憶部７２に保存されている検査項目Ａの検量データへの第１のフラグの付加に応じて、第１のフラグが付加された検量データを表示部８０に表示させることができる。これにより、検査項目Ａの検量データの有効性に関する情報を操作者に知らせることができる。
【０１００】
また、検査項目Ａの検量データへの第１のフラグの付加に応じて、その第１のフラグに対応するメッセージを表示部８０に表示させることにより、今回の分注動作に基づき算出した第２試薬容器１５の第２試薬に対して、データ記憶部７２に保存されている検査項目Ａの検量データを用いると、今回の１回前の分注動作が行われてから今回の分注動作が行われるまでの間の保持位置Ａ２への第２試薬容器１５の置き間違えや、保持位置Ａ２の第２試薬容器１５への第２試薬の継ぎ足し等の作業が原因で、今回の分注動作に基づき算出した第２試薬容器１５の第２試薬の分注により検査項目Ａの検量データを用いて生成される分析データが異常な値になる可能性があることを、操作者に事前に知らせることができる。
【０１０１】
ステップＳ８の「はい」又はステップＳ９の後、第２試薬分注プローブ２６は、保持位置Ａ２の第２試薬容器１５内の第２試薬を吸引して、保持位置Ａ１の第１試薬容器１３の第１試薬が分注された反応容器１７に吐出する分注を行う。試薬算出部５０は、第２試薬分注プローブ２６が第２試薬を吸引した後の保持位置Ａ２の第２試薬容器１５内の第２試薬の液面の高さを算出し、算出した液面の高さを最新の液面の高さとして試薬情報記憶部６０に保存する（ステップＳ１０）。
【０１０２】
ステップＳ１０の後、演算部７１は、データ記憶部７２に保存されている検査項目Ａの検量データを用いて、被検試料、第１試薬及び第２試薬が分注された反応容器１７内の混合液に対する分析データを生成する。そして、演算部７１は、データ記憶部７２に保存されている検査項目Ａの検量データに第１のフラグが付加されている場合、第１のフラグが付加された検量データを用いたことを示す第２のフラグを分析データに付加してデータ記憶部７２に保存する。また、演算部７１は、データ記憶部７２に保存されている検査項目Ａの検量データに第１のフラグが付加されていない場合、第２のフラグを付加しない分析データをデータ記憶部７２に保存する。
【０１０３】
このように、第１のフラグが付加された検量データを用いて生成された分析データに対して、当該検量データを用いて生成されたことを示す第２のフラグを付加することができる。
【０１０４】
図６は、検査項目Ｂの第１及び第２試薬の分注が行われるときの試薬算出部５０及び分析制御部４５の動作を示したフローチャートである。
【０１０５】
入力部９０から検査開始の入力又はポーズ解除の入力が行われてからの検査項目Ｂの第１試薬の分注において、第１試薬分注プローブ２１は、第１試薬ラック１４に保持された保持位置Ｂ１の第１試薬容器１３上方の第１の上停止位置ＵＬから下降し、当該第１試薬容器１３内の第１試薬の液面に接触して第１試薬液面センサ２４に検出される位置より距離Ｄ１下方となる第１の吸引位置Ｐ１で停止する。
【０１０６】
試薬算出部５０は、第１試薬分注プローブ２１が保持位置Ｂ１の第１試薬容器１３内の第１試薬を反応容器１７に分注する今回の分動作により第１の吸引位置Ｐ１に停止したとき、保持位置Ｂ１の第１試薬容器１３内の第１試薬の今回の液面の高さを算出する（ステップＳ１１）。
【０１０７】
試薬算出部５０は、今回の分注動作に基づき算出した保持位置Ｂ１の第１試薬容器１３内の第１試薬の液面の高さと、今回の１回前の分注動作に基づき算出した保持位置Ｂ１の第１試薬容器１３の第１試薬の液面の高さである、試薬情報記憶部６０に保存されている保持位置Ｂ１の第１試薬容器１３内の第１試薬の最新の液面の高さとを比較する（ステップＳ１２）。
【０１０８】
今回の液面の高さと今回の１回前の液面の高さとの差が高さＨ２以下である場合（ステップＳ１３のはい）、ステップＳ１４へ移行する。また、今回の液面の高さと今回の１回前の液面の高さとに高さＨ２を超える違いがある場合（ステップＳ１３のいいえ）、ステップＳ１５へ移行する。
【０１０９】
ステップＳ１３の「はい」の後、第１試薬分注プローブ２１は、保持位置Ｂ１の第１試薬容器１３内の第１試薬を吸引して、被検試料が分注された反応容器１７に吐出する分注を行う。試薬算出部５０は、第１試薬分注プローブ２１が第１試薬を吸引した後の保持位置Ｂ１の第１試薬容器１３内の第１試薬の液面の高さを算出し、算出した液面の高さを最新の液面の高さとして試薬情報記憶部６０に保存する（ステップＳ１４）。
【０１１０】
ステップＳ１３の「いいえ」の後、試薬算出部５０は、今回の１回前の分注動作に基づき算出した第１試薬容器１３の第１試薬に対応する、データ記憶部７２に保持されている検査項目Ｂの検量データに対して、第１のフラグを付加する（ステップＳ１５）。
【０１１１】
試薬算出部５０は、第１のフラグを付加した検量データを表示部８０に表示させる。また、試薬算出部５０は、第１のフラグに対応する情報として、保持位置Ｂ１に保持されている第１試薬容器１３の第１試薬に対して検査項目Ｂの検量データが有効でない可能性があることを意味するメッセージを表示部８０に表示させる。分析制御部４５は、検量データに第１のフラグが付加されると、保持位置Ｂ１の第１試薬容器１３からの今回以降の第１試薬の分注を停止させる。
【０１１２】
このように、データ記憶部７２に保存されている検査項目Ｂの検量データへの第１のフラグの付加に応じて、今回の分注動作に基づき算出した第１試薬容器１３の第１試薬の分注を停止させることができる。これにより、今回の分注動作に基づき算出した第１試薬容器１３の第１試薬に対して、データ記憶部７２に保存されている検査項目Ｂの検量データを用いると、今回の１回前の分注動作が行われてから今回の分注動作が行われるまでの間の保持位置Ｂ１への第１試薬容器１３の置き間違えや、保持位置Ｂ１の第１試薬容器１３への第１試薬の継ぎ足し等の作業が原因で異常な値になる可能性がある分析データの生成を未然に防ぐことができる。
【０１１３】
検査項目Ｂの第１試薬が分注された後の第２試薬の分注において、第２試薬分注プローブ２６は、第２試薬ラック１６に保持された保持位置Ｂ２の第２試薬容器１５上方の第２の上停止位置から下降し、当該第２試薬容器１５内の第２試薬の液面に接触して第２試薬液面センサ２９に検出される位置より距離Ｄ１下方となる第２の吸引位置で停止する。
【０１１４】
試薬算出部５０は、第２試薬分注プローブ２６が保持位置Ｂ２の第２試薬容器１５内の第２試薬を分注する今回の分注動作により第２の吸引位置に停止したとき、保持位置Ｂ２の第２試薬容器１５内の第２試薬の今回の液面の高さを算出する（ステップＳ１６）。
【０１１５】
試薬算出部５０は、今回の分注動作に基づき算出した保持位置Ｂ２の第２試薬容器１５内の第２試薬の液面の高さと、今回の１回前の分注動作に基づき算出した保持位置Ｂ２の第２試薬容器１５の第２試薬の液面の高さである、試薬情報記憶部６０に保存されている保持位置Ｂ２の第２試薬容器１５内の第２試薬の最新の液面の高さとを比較する（ステップＳ１７）。
【０１１６】
今回の液面の高さと今回の１回前の液面の高さとの差が高さＨ２以下である場合（ステップＳ１８のはい）、ステップＳ１９へ移行する。また、今回の液面の高さと今回の１回前の液面の高さとに高さＨ２を超える違いがある場合（ステップＳ１８のいいえ）、ステップＳ２０へ移行する。
【０１１７】
ステップＳ１８の「はい」の後、第２試薬分注プローブ２６は、保持位置Ｂ２の第２試薬容器１５内の第２試薬を吸引して、保持位置Ｂ１の第１試薬容器１３の第１試薬が分注された反応容器１７に吐出する分注を行う。試薬算出部５０は、第２試薬分注プローブ２６が第２試薬を吸引した後の保持位置Ｂ２の第２試薬容器１５内の第２試薬の液面の高さを算出し、算出した液面の高さを最新の液面の高さとして試薬情報記憶部６０に保存する（ステップＳ１９）。
【０１１８】
ステップＳ１８の「いいえ」の後、試薬算出部５０は、今回の１回前の分注動作に基づき算出した第２試薬容器１５の第２試薬に対応する、データ記憶部７２に保持されている検査項目Ｂの検量データに対して、第１のフラグを付加する（ステップＳ２０）。
【０１１９】
試薬算出部５０は、第１のフラグを付加した検量データを表示部８０に表示させる。また、試薬算出部５０は、第１のフラグに対応する情報として、保持位置Ｂ２に保持されている第２試薬容器１５の第２試薬に対して検査項目Ｂの検量データが有効でない可能性があることを意味するメッセージを表示部８０に表示させる。分析制御部４５は、検量データに第１のフラグが付加されると、保持位置Ｂ２の第２試薬容器１５からの今回以降の第２試薬の分注を停止させる。
【０１２０】
このように、データ記憶部７２に保存されている検査項目Ｂの検量データへの第１のフラグの付加に応じて、今回の分注動作に基づき算出した第２試薬容器１５の第２試薬の分注を停止させることができる。これにより、今回の分注動作に基づき算出した第２試薬容器１５の第２試薬に対して、データ記憶部７２に保存されている検査項目Ｂの検量データを用いると、今回の１回前の分注動作が行われてから今回の分注動作が行われるまでの間の保持位置Ｂ２への第２試薬容器１５の置き間違えや、保持位置Ｂ２の第２試薬容器１５への第２試薬の継ぎ足し等の作業が原因で異常な値になる可能性がある分析データの生成を未然に防ぐことができる。
【０１２１】
演算部７１は、データ記憶部７２に保存されている検査項目Ｂの検量データを用いて、被検試料、第１試薬及び第２試薬が分注された反応容器１７内の混合液に対する分析データを生成し、その分析データをデータ記憶部７２に保存する。
【０１２２】
図７は、検査項目Ｃの第１及び第２試薬の分注が行われるときの試薬算出部５０及び分析制御部４５の動作を示したフローチャートである。
【０１２３】
入力部９０から検査開始の入力又はポーズ解除の入力が行われてからの検査項目Ｃの第１試薬の分注において、第１試薬分注プローブ２１は、第１試薬ラック１４に保持された保持位置Ｃ１の第１試薬容器１３上方の第１の上停止位置ＵＬから下降し、当該第１試薬容器１３内の第１試薬の液面に接触して第１試薬液面センサ２４に検出される位置より距離Ｄ１下方となる第１の吸引位置Ｐ１で停止する。
【０１２４】
試薬算出部５０は、第１試薬分注プローブ２１が保持位置Ｃ１の第１試薬容器１３内の第１試薬を反応容器１７に分注する今回の分動作により第１の吸引位置Ｐ１に停止したとき、保持位置Ｃ１の第１試薬容器１３内の第１試薬の今回の液面の高さを算出する（ステップＳ２１）。
【０１２５】
試薬算出部５０は、今回の分注動作に基づき算出した保持位置Ｃ１の第１試薬容器１３内の第１試薬の液面の高さと、今回の１回前の分注動作に基づき算出した保持位置Ｃ１の第１試薬容器１３内の第１試薬の液面の高さである、試薬情報記憶部６０に保存されている保持位置Ｃ１の第１試薬容器１３内の第１試薬の最新の液面の高さとを比較する（ステップＳ２２）。
【０１２６】
今回の液面の高さと今回の１回前の液面の高さとの差が高さＨ３以下である場合（ステップＳ２３のはい）、ステップＳ２４へ移行する。また、今回の液面の高さと今回の１回前の液面の高さとに高さＨ３を超える違いがある場合（ステップＳ２３のいいえ）、ステップＳ２５へ移行する。
【０１２７】
ステップＳ２３の「はい」の後、第１試薬分注プローブ２１は、保持位置Ｃ１の第１試薬容器１３内の第１試薬を吸引して、被検試料が分注された反応容器１７に吐出する分注を行う。試薬算出部５０は、第１試薬分注プローブ２１が第１試薬を吸引した後の保持位置Ｃ１の第１試薬容器１３内の第１試薬の液面の高さを算出し、算出した液面の高さを最新の液面の高さとして試薬情報記憶部６０に保存する（ステップＳ２４）。
【０１２８】
ステップＳ２３の「いいえ」の後、試薬算出部５０は、今回の１回前の分注動作に基づき算出した第１試薬容器１３の第１試薬に対応する、データ記憶部７２に保持されている検査項目Ｃの第１の検量データに対して、第１のフラグを付加する（ステップＳ２５）。
【０１２９】
試薬算出部５０は、第１のフラグを付加した第１の検量データを表示部８０に表示させる。また、試薬算出部５０は、第１のフラグに対応する情報として、保持位置Ｃ１に保持されている第１試薬容器１３の第１試薬に対して検査項目Ｃの第１の検量データが有効でない可能性があることを意味するメッセージを表示部８０に表示させる。分析制御部４５は、検査項目Ｃの第１の検量データに第１のフラグが付加されると、保持位置Ｃ１の第１試薬容器１３からの今回以降の第１試薬の分注を停止させる。
【０１３０】
このように、データ記憶部７２に保存されている検査項目Ｃの第１の検量データへの第１のフラグの付加に応じて、今回の分注動作に基づき算出した第１試薬容器１３の第１試薬の分注を停止させることができる。これにより、今回の分注動作に基づき算出した第１試薬容器１３の第１試薬に対して、データ記憶部７２に保存されている検査項目Ｃの第１の検量データを用いると、今回の１回前の分注動作が行われてから今回の分注動作が行われるまでの間の保持位置Ｃ１への第１試薬容器１３の置き間違えや、保持位置Ｃ１の第１試薬容器１３への第１試薬の継ぎ足し等の作業が原因で異常な値になる可能性がある分析データの生成を未然に防ぐことができる。
【０１３１】
検査項目Ｃの保持位置Ｃ１の第１試薬が分注された後の第２試薬の分注において、第２試薬分注プローブ２６は、保持位置Ｃ３の第２試薬容器１５上方の第２の上停止位置から下降し、当該第２試薬容器１５内の第２試薬の液面に接触して第２試薬液面センサ２９に検出される位置より距離Ｄ１下方となる第２の吸引位置で停止する。
【０１３２】
試薬算出部５０は、第２試薬分注プローブ２６が保持位置Ｃ３の第２試薬容器１５内の第２試薬を分注する今回の分注動作により第２の吸引位置に停止したとき、保持位置Ｃ３の第２試薬容器１５内の第２試薬の液面の高さを算出する（ステップＳ２６）。
【０１３３】
試薬算出部５０は、今回の分注動作に基づき算出した保持位置Ｃ３の第２試薬容器１５内の第２試薬の液面の高さと、今回の１回前の分注動作に基づき算出した保持位置Ｃ３の第２試薬容器１５の第２試薬の液面の高さである、試薬情報記憶部６０に保存されている保持位置Ｃ３の第２試薬容器１５内の第２試薬の最新の液面の高さとを比較する（ステップＳ２７）。
【０１３４】
今回の液面の高さと今回の１回前の液面の高さとの差が高さＨ３以下である場合（ステップＳ２８のはい）、ステップＳ２９へ移行する。また、今回の液面の高さと今回の１回前の液面の高さとに高さＨ３を超える違いがある場合（ステップＳ２８のいいえ）、ステップＳ３０へ移行する。
【０１３５】
ステップＳ２８の「はい」の後、第２試薬分注プローブ２６は、保持位置Ｃ３の第２試薬容器１５内の第２試薬を吸引して、保持位置Ｃ１の第１試薬容器１３の第１試薬が分注された反応容器１７に吐出する分注を行う。試薬算出部５０は、第２試薬分注プローブ２６が第２試薬を吸引した後の保持位置Ｃ３の第２試薬容器１５内の第２試薬の液面の高さを算出し、算出した液面の高さを最新の液面の高さとして試薬情報記憶部６０に保存する（ステップＳ２９）。
【０１３６】
ステップＳ２８の「いいえ」の後、試薬算出部５０は、今回の１回前の分注動作に基づき算出した第２試薬容器１５の第２試薬に対応する、データ記憶部７２に保持されている検査項目Ｃの第１の検量データに対して、第１のフラグを付加する（ステップＳ３０）。
【０１３７】
試薬算出部５０は、第１のフラグを付加した第１の検量データを表示部８０に表示させる。また、試薬算出部５０は、第１のフラグに対応する情報として、保持位置Ｃ３に保持されている第２試薬容器１５の第２試薬に対して検査項目Ｃの第１の検量データが有効でない可能性があることを意味するメッセージを表示部８０に表示させる。分析制御部４５は、検査項目Ｃの第１の検量データに第１のフラグが付加されると、保持位置Ｃ３の第２試薬容器１５からの今回以降の第２試薬の分注を停止させる。
【０１３８】
このように、データ記憶部７２に保存されている検査項目Ｃの第１の検量データへの第１のフラグの付加に応じて、今回の分注動作に基づき算出した第２試薬容器１５の第２試薬の分注を停止させることができる。これにより、今回の分注動作に基づき算出した第２試薬容器１５の第２試薬に対して、データ記憶部７２に保存されている検査項目Ｃの第１の検量データを用いると、今回の１回前の分注動作が行われてから今回の分注動作が行われるまでの間の保持位置Ｃ３への第２試薬容器１５の置き間違えや、保持位置Ｃ３の第２試薬容器１５への第２試薬の継ぎ足し等の作業が原因で異常な値になる可能性がある分析データの生成を未然に防ぐことができる。
【０１３９】
ステップＳ２９の後、演算部７１は、データ記憶部７２に保存されている検査項Ｃの第１の検量データを用いて、被検試料、第１試薬及び第２試薬が分注された反応容器１７内の混合液に対する分析データを生成し、その分析データをデータ記憶部７２に保存する。
【０１４０】
保持位置Ｃ１の第１試薬容器１３の第１試薬の分注が停止された後、又は保持位置Ｃ３の第２試薬容器１５の第２試薬の分注が停止された後、分析制御部４５は、２対目の第１及び第２試薬容器１３，１５の第１及び第２試薬を分注させる分注動作を実行させる。２対目の第１及び第２試薬容器１３，１５の第１及び第２試薬の分注動作に関しては、保持位置Ｃ１の第１試薬容器１３、保持位置Ｃ３の第２試薬容器１５及び第１の検量データを、保持位置Ｃ２の第１試薬容器１３、保持位置Ｃ４の第２試薬容器１５及び第２の検量データに置き換えて、保持位置Ｃ１の第１試薬容器１３、保持位置Ｃ３の第２試薬容器１５及び第１の検量データの場合と同様にステップＳ２１乃至Ｓ３０を実行させる。
【０１４１】
このように、データ記憶部７２に保存されている検査項目Ｃの第２の検量データへの第１のフラグの付加に応じて、今回の分注動作に基づき算出した第１試薬容器１３の第１試薬の分注を停止させることができる。これにより、今回の分注動作に基づき算出した第１試薬容器１３の第１試薬に対して、データ記憶部７２に保存されている検査項目Ｃの第２の検量データを用いると、今回の１回前の分注動作が行われてから今回の分注動作が行われるまでの間の保持位置Ｃ２への第１試薬容器１３の置き間違えや、保持位置Ｃ２の第１試薬容器１３への第１試薬の継ぎ足し等の作業が原因で異常な値になる可能性がある分析データの生成を未然に防ぐことができる。
【０１４２】
また、データ記憶部７２に保存されている検査項目Ｃの第２の検量データへの第１のフラグの付加に応じて、今回の分注動作に基づき算出した第２試薬容器１５の第２試薬の分注を停止させることができる。これにより、今回の分注動作に基づき算出した第２試薬容器１５の第２試薬に対して、データ記憶部７２に保存されている検査項目Ｃの第２の検量データを用いると、今回の１回前の分注動作が行われてから今回の分注動作が行われるまでの間の保持位置Ｃ４への第２試薬容器１５の置き間違えや、保持位置Ｃ４の第２試薬容器１５への第２試薬の継ぎ足し等の作業が原因で異常な値になる可能性がある分析データの生成を未然に防ぐことができる。
【０１４３】
以上述べた実施形態によれば、各検査項目の第１試薬の分注毎に当該検査項目の第１試薬容器１３内の第１試薬の液面の高さを試薬情報記憶部６０に保存することにより、今回の分注動作に基づき算出した第１試薬容器１３内の第１試薬の液面の高さと、当該第１試薬容器１３と同じ保持位置に保持され、今回の１回前の分注動作に基づき算出した第１試薬容器１３内の第１試薬の液面の高さとを比較することができる。
【０１４４】
そして、今回の分注動作に基づき算出した第１試薬容器１３内の第１試薬の液面の高さと、今回の１回前の分注動作に基づき算出した第１試薬容器１３内の第１試薬の液面の高さとに違いがあると、今回の１回前の分注動作に基づき算出した第１試薬容器１３内の第１試薬に対応する検量データとしてデータ記憶部７２に保持されている検量データに対して第１のフラグを付加し、第１のフラグを付加した検量データを表示部８０に表示させることができる。これにより、操作者に検量データの有効性に関する情報を操作者に知らせることができる。
【０１４５】
また、今回の分注動作に基づき算出した第１試薬容器１３内の第１試薬の液面の高さと、今回の１回前の分注動作に基づき算出した第１試薬容器１３内の第１試薬の液面の高さとに違いがあると、今回の分注動作に基づき算出した第１試薬容器１３の第１試薬に対して検量データが有効でない可能性があることを意味するメッセージを表示部８０に表示させることができる。これにより、今回の分注動作に基づき算出した第１試薬容器１３の第１試薬に対して第１のフラグが付加された検量データを用いると、今回の１回前の分注動作が行われてから今回の分注動作が行われるまでの間の第１試薬容器１３の置き間違えや、第１試薬容器１３への第１試薬の継ぎ足し等の作業が原因で、当該第１試薬の分注により第１のフラグが付加された検量データを用いて生成される分析データが異常な値になる可能性があることを操作者に知らせることができる。
【０１４６】
また、今回の分注動作に基づき算出した第１試薬容器１３内の第１試薬の分注により第１のフラグが付加された検量データを用いて生成された分析データに対して第２のフラグを付加することができる。
【０１４７】
また、今回の分注動作に基づき算出した第１試薬容器１３内の第１試薬の液面の高さと、当該第１試薬容器１３と同じ保持位置に保持され、今回の１回前の分注動作に基づき算出した第１試薬容器１３内の第１試薬の液面の高さとに違いがあると、今回の分注動作に基づき算出した第１試薬容器１３内の第１試薬の反応容器１７への分注を停止させることができる。これにより、今回の１回前の分注動作が行われてから今回の分注動作が行われるまでの間の第１試薬容器１３の置き間違えや、第１試薬容器１３への第１試薬の継ぎ足し等の作業が原因で異常な値になる可能性がある分析データの生成を未然に防ぐことができる。
【０１４８】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１４９】
１３  第１試薬容器
１７  反応容器
２１  第１試薬分注プローブ
２４  第１試薬液面センサ
４０  駆動部
４５  分析制御部
５０  試薬算出部
７１  演算部
７２  データ記憶部
【図１】
2019015617.tif 000003
【図２】
2019015617.tif 000004
【図３】
2019015617.tif 000005
【図４】
2019015617.tif 000006
【図５】
2019015617.tif 000007
【図６】
2019015617.tif 000008
【図７】
2019015617.tif 000009